(57)【要約】【課題】放出される美容成分の種類を任意に選択できるヘアドライヤーを提供すること。【解決手段】本発明に係るヘアドライヤー１００は、吸入口１１１から吹出口１１２へ向かう空気流Ｂ０、Ｂ１を生成するファン１２３と、空気流Ｂ１に霧化された液滴を付与する霧化装置１３０と、保持する第１の美容成分を空気流Ｂ１に含まれる液滴を媒体として空気流Ｂ１に放出する第１の美容成分保持部材（第１のカートリッジ１５０ａ）と、保持する第２の美容成分を空気流Ｂ１に含まれる液滴を媒体として空気流Ｂ１に放出する第２の美容成分保持部材（第２のカートリッジ１５０ｂ）と、を備える。【選択図】図２
2019111158.tif 000002
【特許請求の範囲】
【請求項１】
吸入口から吹出口へ向かう空気流を生成するファンと、
前記空気流に霧化された液滴を付与する霧化装置と、
保持する第１の美容成分を前記空気流に含まれる前記液滴を媒体として前記空気流に放出する第１の美容成分保持部材と、
保持する第２の美容成分を前記空気流に含まれる前記液滴を媒体として前記空気流に放出する第２の美容成分保持部材と、を備える、
ヘアドライヤー。
【請求項２】
前記第１の美容成分保持部材と前記第２の美容成分保持部材は、互いに独立して着脱可能に構成されている、
請求項１に記載のヘアドライヤー。
【請求項３】
前記ヘアドライヤーは更に、前記第１及び第２の美容成分保持部材を装着可能な装着部を備え、
前記第１の美容成分保持部材は前記装着部の第１の領域に装着可能に構成されており、
前記第２の美容成分保持部材は前記装着部の第２の領域に装着可能に構成されている、
請求項１または２に記載のヘアドライヤー。
【請求項４】
前記第１の美容成分保持部材は前記装着部の前記第２の領域に装着可能に構成されており、
前記第２の美容成分保持部材は前記装着部の前記第１の領域に装着可能に構成されている、
請求項３に記載のヘアドライヤー。
【請求項５】
前記第１及び第２の美容成分保持部材は一体で構成されている、請求項１に記載のヘアドライヤー。
【請求項６】
前記第１の美容成分保持部材及び前記第２の美容成分保持部材は、前記空気流に沿った複数の通気孔をそれぞれ有する、
請求項１〜５のいずれか一項に記載のヘアドライヤー。
【請求項７】
前記第１の美容成分保持部材において前記通気孔の占める面積と、前記第２の美容成分保持部材において前記通気孔の占める面積とが異なる、
請求項６に記載のヘアドライヤー。
【請求項８】
前記第１の美容成分は、前記第２の美容成分よりも前記空気流に放出されやすい物質であり、
前記第１の美容成分保持部材において前記通気孔の占める面積は、前記第２の美容成分保持部材において前記通気孔の占める面積よりも小さい、
請求項７に記載のヘアドライヤー。
【請求項９】
前記第１及び第２の美容成分保持部材は、前記空気流に沿った複数の貫通孔をそれぞれ有し、前記第１及び第２の美容成分は前記複数の貫通孔の内面にそれぞれ吸着されている、
請求項１〜５のいずれか一項に記載のヘアドライヤー。
【請求項１０】
前記第１及び第２の美容成分保持部材は、それぞれの前記複数の貫通孔がハニカム構造によって形成されている、
請求項９に記載のヘアドライヤー。
【請求項１１】
前記第１及び第２の美容成分保持部材は、セラミック焼結体を用いて形成されている、
請求項９または１０に記載のヘアドライヤー。
【請求項１２】
前記第１及び第２の美容成分保持部材は、前記複数の通気孔が前記空気流に沿うように装着部に装着されるカートリッジである、
請求項６〜８のいずれか１項に記載のヘアドライヤー。
【請求項１３】
前記第１及び第２の美容成分保持部材は、前記複数の貫通孔が前記空気流に沿うように装着部に装着されるカートリッジである、
請求項９〜１１のいずれか１項に記載のヘアドライヤー。
【請求項１４】
請求項１２または１３に記載のカートリッジ。
【発明の詳細な説明】
【技術分野】
【０００１】
本発明は、ヘアドライヤーおよびヘアドライヤーに装着されるカートリッジに関する。
【背景技術】
【０００２】
コラーゲンなどの美容成分を空気流に乗せて毛髪に放散するヘアドライヤーが知られている（例えば、特許文献１参照）。当該美容成分には、保湿作用や抗酸化作用などの様々な効能を有するものを用いることができる。
【先行技術文献】
【特許文献】
【０００３】
【特許文献１】特開２０１５−１９８５４号公報
【発明の概要】
【発明が解決しようとする課題】
【０００４】
このような機能を備えるヘアドライヤーでは、運ばれる美容成分の種類を任意に選択したいという要請がある。
【０００５】
本発明は、このような問題を解決するためになされたものであり、美容成分の種類を任意に選択できるヘアドライヤーを提供するものである。
【課題を解決するための手段】
【０００６】
本発明の第１の態様におけるヘアドライヤーは、吸入口から吹出口へ向かう空気流を生成するファンと、前記空気流に霧化された液滴を付与する霧化装置と、保持する第１の美容成分を前記空気流に含まれる前記液滴を媒体として前記空気流に放出する第１の美容成分保持部材と、保持する第２の美容成分を前記空気流に含まれる前記液滴を媒体として前記空気流に放出する第２の美容成分保持部材と、を備える。
【０００７】
このように構成することにより、ユーザは、第１の美容成分と、第２の美容成分とを、任意に選択することができる。従って、放出される美容成分の種類を任意に選択することができる。
【発明の効果】
【０００８】
本発明により、放出される美容成分の種類を任意に選択できるヘアドライヤーを提供することができる。
【図面の簡単な説明】
【０００９】
【図１】本実施形態に係るヘアドライヤーの全体斜視図である。
【図２】第１及び第２のカートリッジを装着する様子を示す部分拡大図である。
【図３】ハウジングの中央付近の様子を模式的に示す図である。
【図４】ヘアドライヤーのシステム構成図である。
【図５】第１及び第２のカートリッジの構成を示す分解斜視図である。
【図６】美容ユニットの全体斜視図である。
【図７】他の例の美容ユニットの全体斜視図である。
【図８】更に他の例の美容ユニットの全体斜視図である。
【発明を実施するための形態】
【００１０】
以下、発明の実施形態を通じて本発明を説明するが、特許請求の範囲に係る発明を以下の実施形態に限定するものではない。また、実施形態で説明する構成の全てが課題を解決するための手段として必須であるとは限らない。また、各図面において、同一又は対応する要素には同一の符号が付されており、説明の明確化のため、必要に応じて重複説明は省略される。
【００１１】
図１は、第１の実施形態に係るヘアドライヤー１００の全体斜視図である。ヘアドライヤー１００は、主に、温風や冷風を発生させる本体ユニット１１０と、ユーザが把持するグリップユニット１８０と、を備える。ヘアドライヤー１００は、ＡＣ電源から供給される電力によって、熱や空気流を発生させる。
【００１２】
本体ユニット１１０は、筐体であるハウジング１１６が外周を取り囲んで円筒形状を成し、一端側の開口である吸入口１１１から外気を取り入れ、他端側の開口である吹出口１１２から調整された空気流を吹き出す。吹出口１１２は、２つに分かれており、相対的に大量の空気流を吹き出す第１吹出口１１３と、第１吹出口よりは吐き出す空気流が少ない第２吹出口１１４とによって構成されている。なお、以降の説明においては、吸入口１１１側を上流側と称し、吹出口１１２側を下流側と称する。
【００１３】
本体ユニット１１０は、グリップユニット１８０と接続する端部を有する。当該端部近傍には、トグル式のモードスイッチ１１５が設けられている。モードスイッチ１１５は、吹き出す空気流に美容成分を放出させる美容モードと放出させない非美容モードとを切り替える切替部として機能する。ユーザは、モードスイッチ１１５を操作して希望するモードに切り替える。
【００１４】
グリップユニット１８０は、一端側が本体ユニット１１０と回動可能に接続されており、ユーザは、グリップユニット１８０を本体ユニット１１０に対して使用時においては直立させ、収容時においては並行にして折り畳む。グリップユニット１８０は、把持部の中央付近にオンオフスイッチ１８１を有する。ユーザは、オンオフスイッチ１８１を３つのポジションのいずれかにスライドさせることができる。それぞれのポジションは、１つがオフポジション、１つが後述するヒータへの通電を遮断して冷風を送出させる冷風ポジション、１つが電熱線に通電して温風を送出させる温風ポジションである。
【００１５】
ユーザがモードスイッチ１１５を操作して美容モードに切り替えると、第１及び第２の美容成分が混入した空気流が第２吹出口１１４から吐出される。図２に示すように、第１の美容成分は、美容成分保持部材としての第１のカートリッジ１５０ａに吸着保持されている。第２の美容成分は、美容成分保持部材としての第２のカートリッジ１５０ｂに吸着保持されている。第１のカートリッジ１５０ａと第２のカートリッジ１５０ｂは、美容ユニット１５０を構成する。
【００１６】
第１のカートリッジ１５０ａ及び第２のカートリッジ１５０ｂは、本体ユニット１１０に対して交換可能に装着される。すなわち、第１の美容成分を放出し尽くした第１のカートリッジ１５０ａは、新たな第１のカートリッジ１５０ａに取り替えられ、第２の美容成分を放出し尽くした第２のカートリッジ１５０ｂは、新たな第２のカートリッジ１５０ｂに取り替えられる。これにより、ヘアドライヤー１００は、美容成分の放散を継続的に維持することができる。本実施形態においては、図２に示すように、第１のカートリッジ１５０ａと第２のカートリッジ１５０ｂは、互いに独立して着脱可能に構成されている。
【００１７】
ハウジング１１６の一部には開口部が設けられており、開口部は、通常の使用時には収容蓋１１７で覆われている。収容蓋１１７は、一端側に設けられたヒンジによりハウジング１１６に枢設されており、ユーザは、第１のカートリッジ１５０ａまたは第２のカートリッジ１５０ｂの交換時に収容蓋１１７の他端側を持ち上げて開口部を開く。開口部の奥には、第１及び第２の美容成分保持部材を装着可能な装着部１１８が設けられている。装着部１１８は、第１の領域１１８ａと第２の領域１１８ｂとを有する。第１のカートリッジ１５０ａは第１の領域１１８ａに装着可能に構成されている。ユーザは、第１のカートリッジ１５０ａをｚ軸方向から挿入することで、第１の領域１１８ａに装着することができる。第２のカートリッジ１５０ｂは第２の領域１１８ｂに装着可能に構成されている。ユーザは、第２のカートリッジ１５０ｂをｚ軸方向から挿入することで、第２の領域１１８ｂに装着することができる。
【００１８】
第１のカートリッジ１５０ａ及び第２のカートリッジ１５０ｂを装着して収容蓋１１７を閉じれば、ユーザは、ヘアドライヤー１００の美容モードを機能させることができる。なお、第１のカートリッジ１５０ａ及び第２のカートリッジ１５０ｂの少なくとも一方が装着されていない状態ではモードスイッチ１１５を美容モードに切り替えられないように、モードスイッチ１１５にロック機構を設けても良い。
【００１９】
本実施形態においては、第１のカートリッジ１５０ａは、ｚ軸周りに１８０°回転させると第２のカートリッジ１５０ｂと同一形状になるように構成されていてもよい。この場合は、第１のカートリッジ１５０ａは、第２の領域１１８ｂにも装着可能になる。また、第２のカートリッジ１５０ｂは、第１の領域１１８ａにも装着可能になる。
【００２０】
図３は、図１の座標系で示すｘｚ平面と平行かつ美容ユニット１５０を含む断面で切断した、ハウジング１１６の中央付近の様子を模式的に示す図である。図は、主要な構成要素に限って表している。具体的には、ハウジング１１６内に配設されたヒータ１２１、モータ１２２、ファン１２３、霧化装置１３０と、装着部１１８に装着された美容ユニット１５０を表している。
【００２１】
ファン１２３は、モータ１２２によって回転され、吸入口１１１から外気を取り込んで、吹出口１１２へ向けて空気流を発生させる。モータ１２２は、例えば直流モータであり、ファン１２３と共に送風装置として機能する。ヒータ１２１は、通電されることにより熱を発生し、ファン１２３で発生された空気流を加熱して温風に変換する。ヒータ１２１は、例えば電熱線であり、絶縁板に巻回されるなどしてハウジング１１６の中空部に位置するように固定されている。
【００２２】
ハウジング１１６の内部空間は、吸入口１１１から取り込まれた外気がファン１２３よりも下流側で二手に分流するように、内壁１１９によって２つに分割されている。すなわち、ファン１２３によって生成される空気流は、この内壁１１９によって、第１吹出口１１３へ向かう空気流Ｂ０と、第２吹出口１１４へ向かう空気流Ｂ１とに分かれる。ヒータ１２１は、空気流Ｂ０を温めるように、空気流Ｂ０の流路中に配設されている。したがって、ユーザがオンオフスイッチ１８１を温風ポジションに設定していれば、通電されたヒータ１２１が空気流Ｂ０を主に温める。
【００２３】
霧化装置１３０は、空気流Ｂ１の流路中に配設されている。霧化装置１３０は、周辺空気に含まれる水分を結露させ、結露した水分をミスト化（霧化）して空気流Ｂ１に付与する装置である。ファン１２３が回っている間に水分を結露させる場合には、空気流Ｂ１に含まれる水分を結露させる。すなわち、霧化装置１３０は、空気中の水分を凝縮してミスト（霧化された液滴）を生成する装置であり、本実施形態においては、直径が十〜数百ナノメートルの液滴を生成する。
【００２４】
霧化装置１３０は、主に、ペルチェ素子１３１、冷却板１３２、放熱フィン１３３および放電電極１３４を含む。ペルチェ素子１３１の吸熱面側には導電性の冷却板１３２が貼り合わされており、冷却板１３２は、ペルチェ素子１３１によって冷却される。冷却板１３２のうち空気流と触れる側の面である結露面は、空気中に含まれる水分を結露させ、液滴が付着する。すなわち、冷却板１３２は、ペルチェ素子１３１と協働して結露部として機能する。
【００２５】
ペルチェ素子１３１の発熱面側には放熱のための放熱フィン１３３が貼り合わされている。放熱フィン１３３から放出された熱は、空気流Ｂ１の一部に乗って第２吹出口１１４から外部に吐き出される。
【００２６】
放電電極１３４は、後述する電極回路に接続されており、冷却板１３２を接地電極として放電が発生するように、冷却板１３２から所定量離間して配置されている。放電電極１３４に高圧の負パルスが印加されると、放電電極１３４の先端部と冷却板１３２の間で放電が起こり、冷却板１３２の結露面に結露していた結露水が、レイリー分裂により、マイナスイオンに帯電したミストとなって飛散する。すなわち、霧化装置１３０は、マイナスイオンに帯電したミスト（静電霧化した液滴）を、空気流Ｂ１に付与する。
【００２７】
なお、霧化装置１３０のうち、結露部は直接的に空気流Ｂ１の流路中に配設されていなくても良い。結露面で結露した結露水が放電によりミスト化した場合に、当該ミストが空気流Ｂ１に誘引されるのであれば、空気流Ｂ１に直接晒されない箇所に配設することも可能である。結露面が直接的に空気流Ｂ１に晒されないのであれば、比較的大きな結露水を生成することも可能であり、放電によって生成するミストの大きさをコントロールしやすい。
【００２８】
第１のカートリッジ１５０ａは、霧化装置１３０よりも下流側に設けられた装着部１１８の第１の領域１１８ａに装着されている（図２参照）。第２のカートリッジ１５０ｂは、霧化装置１３０よりも下流側に設けられた装着部１１８の第２の領域１１８ｂに装着されている（図２参照）。マイナスイオンに帯電したミストが第１のカートリッジ１５０ａの内部を通過すると、第１のカートリッジ１５０ａに吸着保持された第１の美容成分がミストに溶出する。マイナスイオンに帯電したミストが第２のカートリッジ１５０ｂの内部を通過すると、第２のカートリッジ１５０ｂに吸着保持された第２の美容成分がミストに溶出する。このようにして、第２吹出口１１４から吐出される空気流Ｂ１は、当該第１及び第２の美容成分を適度に含んだ状態でユーザの毛髪へ到達する。
【００２９】
なお、図示するように、霧化装置１３０とヒータ１２１の間には内壁１１９が介在し、互いに隔離されているので、ヒータ１２１が発生する熱は、霧化装置１３０の結露部に到達しにくい。したがって、結露部は、より多くの水分を結露させることができる。また、内壁１１９は、ヒータ１２１の熱をより遮断するように、断熱性の高い素材で形成されると良い。あるいは、内壁１１９の表面に熱移動を遮断する断熱シートを貼着すると良い。
【００３０】
図４は、ヘアドライヤー１００のシステム構成図である。ヘアドライヤー１００は、例えばマイクロプロセッサである制御部１９０によって電気系統の全体が制御される。オンオフスイッチ１８１のスイッチ状態、およびモードスイッチ１１５のスイッチ状態は、電気的に検出されて制御部１９０へ伝達される。制御部１９０は、これらのスイッチ状態に応じて各回路を制御する。制御対象は、主に、ヒータ回路１９１、モータ回路１９２、ペルチェ回路１９３および電極回路１９４である。
【００３１】
ヒータ回路１９１は、ヒータ１２１に通電して一定の発熱状態を保つ回路である。制御部１９０は、オンオフスイッチ１８１が温風ポジションであるときに、ヒータ回路１９１が機能するように制御する。モータ回路１９２は、モータ１２２に通電してファン１２３を一定の回転速度で回転させる回路である。制御部１９０は、オンオフスイッチ１８１が冷風ポジションまたは温風ポジションであるときに、モータ回路１９２が機能するように制御する。
【００３２】
ペルチェ回路１９３は、ペルチェ素子１３１を駆動して吸熱面から発熱面へ熱移動させる回路である。制御部１９０は、モードスイッチ１１５が美容モードに設定されているときに、ペルチェ回路１９３が機能するように制御する。電極回路１９４は、放電電極１３４に高圧の負パルスを印加して、放電電極１３４と冷却板１３２の間で周期的に放電を発生させる回路である。制御部１９０は、モードスイッチ１１５が美容モードに設定されているときに、電極回路１９４が機能するように制御する。
【００３３】
ここで、図５を用いて、第１のカートリッジ１５０ａの構成について説明する。図５に示すように、第１のカートリッジ１５０ａは、ケース部材１５１と、ケース部材１５１の中に収容される成分保持部材１５２とを備えている。ケース部材１５１は、さらに第１のケース部材１５１ａと第２のケース部材１５１ｂとに分割できるように構成されている。第１のケース部材１５１ａと第２のケース部材１５１ｂとは、組み合わせることによって成分保持部材１５２を内部に収容できるように構成されている。また、第１のケース部材１５１ａ及び第２のケース部材１５１ｂには、空気流Ｂ１が通過できる通気孔１５３が形成されている。
【００３４】
成分保持部材１５２は、複数の繊維部材を絡ませて構成されたシート状の部材であり、第１の美容成分を吸着保持している。すなわち、第１の美容成分は、成分保持部材１５２ａを構成する繊維に吸着されているか、あるいは成分保持部材１５２を構成する繊維間に保持されている。成分保持部材１５２内を空気流Ｂ１ａが通過するとき、空気流Ｂ１ａ内に含まれるミストによって第１の美容成分が溶出する。換言すると、第１の美容成分は、空気流Ｂ１ａに含まれるミストを媒体として空気流Ｂ１ａに放出される。
【００３５】
第２のカートリッジ１５０ｂの構成は、第１のカートリッジ１５０ａと同様であるため図面は省略する。すなわち、第２のカートリッジ１５０ｂも、ケース部材と、ケース部材の中に収容される成分保持部材とを備えている。第２のカートリッジ１５０ｂの成分保持部材は、第２の美容成分を吸着保持している。
【００３６】
第１の美容成分と第２の美容成分は、同一の美容成分であってもよいし、異なる美容成分であってもよい。第１または第２の美容成分に用いられる美容成分としては、例えば保湿性を有するものとして、タンパク質、ムコ多糖、コラーゲン、エラスチン、ケラチン、ビタミン類等の水溶性美容成分が挙げられる。なお、水溶性美容成分としては、上記した以外のものも任意に選択して用いることができるが、毛髪等における保湿性等を向上させてキューティクルの痛みを回復させる等の観点から、コラーゲンを含むことが好ましい。
【００３７】
また、金属微粒子を第１または第２の美容成分として採用することもできる。美容成分となり得る金属としては、金、銀、銅、白金、亜鉛、チタンが候補として挙げられる。金属微粒子の粒径は、数ｎｍ〜数μｍの範囲で任意に選択してもよい。このような金属微粒子は、毛髪に付着して抗菌作用や抗酸化作用を生じさせることができる。特に白金の微粒子は、抗酸化作用が極めて高いことが知られており、美容成分として採用すると良い。
【００３８】
また、例えばコラーゲンなどに担持させるなどの態様により、金属微粒子を美容成分として採用することもできる。すなわち、金属微粒子が担持された水溶性美容成分を、第１または第２の美容成分として用いることができる。もちろん、第１または第２の美容成分として、上記で例示した美容成分やその他の美容成分を、任意の割合で配合して用いてもよい。
【００３９】
すなわち、例えば、第１のカートリッジ１５０ａには、金属微粒子が担持された水溶性美容成分が保持されており、第２のカートリッジ１５０ｂには、水溶性美容成分が保持されるようにしてもよい。または、第１のカートリッジ１５０ａには、金属微粒子が担持された水溶性美容成分が保持されており、第２のカートリッジ１５０ｂには、その金属微粒子とは異なる金属微粒子が担持された水溶性美容成分が保持されているようにしてもよい。または、第１のカートリッジ１５０ａ及び第２のカートリッジ１５０ｂには、各々種類が異なる水溶性美容成分が保持されているようにしてもよい。
【００４０】
図６は、美容ユニット１５０の全体斜視図である。美容ユニット１５０を構成する第１のカートリッジ１５０ａ及び第２のカートリッジ１５０ｂは、上述のように、美容成分を吸着保持する美容成分保持部材である。
【００４１】
第１及び第２のカートリッジ１５０ａ、１５０ｂが備える複数の通気孔１５３は、第１及び第２のカートリッジ１５０ａ、１５０ｂが装着部１１８の第１及び第２の領域１１８ａ、１１８ｂにそれぞれ装着された場合に、空気流Ｂ１に沿うように設けられている（図２参照）。換言すると、装着部１１８の第１及び第２の領域１１８ａ、１１８ｂは、通気孔１５３が空気流Ｂ１に沿う向きに第１及び第２のカートリッジ１５０ａ、１５０ｂが装着されるよう、収容形状が規定されている。したがって、空気流Ｂ１の少なくとも一部は、第１及び第２のカートリッジ１５０ａ、１５０ｂが備える通気孔１５３の内部を通過する。
【００４２】
以上のような構成により本実施形態に係るヘアドライヤー１００は、使用するユーザの毛髪や頭皮に美容成分を供給することができる。したがって、毛髪の表面におけるキューティクルの剥離等のような髪のダメージをより効果的に修復し、さらには毛髪の保湿もより効果的に行うことができる。特に、ヘアドライヤー１００は、ユーザが使用するたびにミストと美容成分を毛髪に供給することができるので、使用し続けることでキューティクルをより引き締めることができ、ブラッシングや温風による加熱等によるダメージを抑え、毛髪をより保湿性の高い状態に維持することができる。また、頭皮における皮脂の発生を抑制して毛穴を清潔な状態に保つことができる。さらにヘアカラーを行った場合の退色も抑制でき、染めた毛髪色を長期間に亘って維持することも期待できる。また、ヘアドライヤー１００は、マイナスイオンも毛髪や頭皮に供給することができるので、毛髪のキューティクルをより引き締めることができ、より高い保湿性を維持することができる。
【００４３】
また、以上のような構成を備えることで、ユーザは、第１の美容成分と、第２の美容成分とを、任意に選択することができる。従って、拡散される美容成分の種類を任意に選択することができる。
【００４４】
次に、美容ユニット１５０のいくつかの変形例について説明する。図７は、他の例の美容ユニット２５０の全体斜視図である。美容ユニット２５０は、第１のカートリッジ２５０ａと第２のカートリッジ２５０ｂとを備える。図７に示すように、第１のカートリッジ２５０ａにおける通気孔２５３ａの占める面積と、第２のカートリッジ２５０ｂにおける通気孔２５３ｂの占める面積とは、異なっている。具体的には、第１のカートリッジ２５０ａにおける通気孔２５３ａの占める面積は、第２のカートリッジ２５０ｂにおける通気孔２５３ｂの占める面積よりも小さくなるように形成されている。このように通気孔２５３ａを形成することで、第１のカートリッジ２５０ａを通過する空気流の量を、第２のカートリッジ２５０ｂを通過する空気流の量よりも少なくすることができる。このため、第１の美容成分と第２の美容成分との放出量の比を制御することができる。
【００４５】
例えば、第１の美容成分としてビタミンＣ等の水溶性ビタミンを、第２の美容成分として水溶性コラーゲンを採用した場合、ビタミンの方がコラーゲンよりも液滴に溶出しやすい場合がある。このような場合、第１の美容成分は第２の美容成分よりも空気流に放出されやすく、放出量の偏りが生じてしまう。しかし、第１のカートリッジ２５０ａにおける通気孔２５３ａの占める面積が第２のカートリッジ２５０ｂにおける通気孔２５３ｂの占める面積よりも小さければ、第１の美容成分の放出量を相対的に抑えることができる。このようにして、美容成分の種類による放出量の偏りを是正することができる。
【００４６】
図８は、更に他の例の美容ユニット３５０の全体斜視図である。美容ユニット３５０は、第１のカートリッジ３５０ａと第２のカートリッジ３５０ｂとを備える。図８に示すように、第１及び第２のカートリッジ３５０ａ、３５０ｂは、それぞれ本体部３５１ａ、３５１ｂと、本体部３５１ａ、３５１ｂに複数設けられた貫通孔３５３ａ、３５３ｂによって構成されている。本体部３５１ａ、３５１ｂは、多孔質素材が用いられることが好ましく、例えばセラミック焼結体である。多孔質素材の空隙は、美容成分を吸着保持させる空間として利用できるので、本体部３５１ａ、３５１ｂは、多孔質素材でない場合に比べて多量の美容成分を保持することができる。すなわち、第１の美容成分は第１のカートリッジ３５０ａの本体部３５１ａに形成された貫通孔３５３ａの内面に保持することができ、第２の美容成分は第２のカートリッジ３５０ｂの本体部３５１ｂに形成された貫通孔３５３ｂの内面に保持することができる。
【００４７】
複数の貫通孔３５３ａ、３５３ｂは、第１及び第２のカートリッジ３５０ａ、３５０ｂが装着部１１８の第１及び第２の領域１１８ａ、１１８ｂにそれぞれ装着された場合に、空気流Ｂ１に沿うように設けられている（図２参照）。換言すると、装着部１１８の第１及び第２の領域１１８ａ、１１８ｂは、貫通孔３５３ａ、３５３ｂが空気流Ｂ１に沿う向きに第１及び第２のカートリッジ３５０ａ、３５０ｂが装着されるよう、収容形状が規定されている。したがって、空気流Ｂ１の少なくとも一部は、第１及び第２のカートリッジ３５０ａ、３５０ｂが備える貫通孔３５３ａ、３５３ｂの内部を通過する。
【００４８】
霧化装置１３０で生成されたミストを含む空気流Ｂ１が貫通孔３５３ａ、３５３ｂを通過したときに、当該ミストが貫通孔３５３ａ、３５３ｂの内面と接触して美容成分を溶かし込むように、当該美容成分は、貫通孔の内面に一定の厚みをもって吸着されている。貫通孔３５３ａ、３５３ｂの内面に吸着保持された美容成分が、ヘアドライヤー１００の使用により消費され、多孔質素材の空隙から滲出する美容成分も消尽されると、第１及び第２のカートリッジ３５０ａ、３５０ｂは交換時期を迎える。このような第１及び第２のカートリッジ３５０ａ、３５０ｂの構成を採用すれば、美容成分を保持する部材と、それを取り囲むケースのような二重構造を採用する必要がないので、保持量を増大させつつも全体としてコンパクトに仕上げることができる。
【００４９】
貫通孔３５３ａ、３５３ｂのそれぞれは、少なくとも一部がハニカム構造によって形成されていることが好ましい。具体的には、図示するように、貫通孔３５３ａ、３５３ｂとしての中空の六角柱が吸入側から吹出側へ向かって伸延し、それぞれが互いに稠密に隣接する構造である。貫通孔３５３ａ、３５３ｂがハニカム構造であれば、第１及び第２のカートリッジ３５０ａ、３５０ｂは構造体として高い剛性を確保できるので、輸送時や着脱時に多少の押圧があっても潰れたりする虞がない。また、稠密に隣接する構造であることから、全体として貫通孔３５３ａ、３５３ｂの内面の面積を大きくできるので、美容成分をより多く保持する点においても有利である。
【００５０】
なお、図８に示した第１及び第２のカートリッジ３５０ａ、３５０ｂは、貫通孔３５３ａ、３５３ｂがハニカム構造によって形成されている場合を示したが、貫通孔３５３ａ、３５３ｂはハニカム構造によって形成されていなくてもよい。例えば、貫通孔３５３ａ、３５３ｂの断面が円形状であってもよい。
【００５１】
また、図８に示した美容ユニット３５０においても、図７に示した美容ユニット２５０のように、第１のカートリッジ３５０ａの表面において貫通孔３５３ａの占める面積と、第２のカートリッジ３５０ｂの表面において貫通孔３５３ｂの占める面積とが異なっていてもよい。このように貫通孔３５３ａ、３５３ｂを形成することで、第１のカートリッジ３５０ａを通過する空気流の量と、第２のカートリッジ３５０ｂを通過する空気流の量を任意に調整することができる。よって、第１の美容成分と第２の美容成分との放出量の比を制御することができる。
【００５２】
以上、本発明を上記の実施形態に即して説明したが、本発明は上記実施の形態の構成にのみ限定されるものではなく、本願特許請求の範囲の請求項の発明の範囲内で当業者であればなし得る各種変形、修正、組み合わせを含むことは勿論である。例えば、本実施の形態に係るヘアドライヤー１００は、第１の放電電極１３４ａまたは第２の放電電極１３４ｂに負のパルスを印加してマイナスイオンを発生させたが、正のパルスを印加してプラスイオンを発生させても良い。正のパルスを印加して放電を発生させると、プラスイオンに帯電したミストが発生する。この場合は、プラスイオンがユーザの毛髪に到達し、プラスイオンによる抗菌効果などが期待できる。また、第１の放電電極１３４ａまたは第２の放電電極１３４ｂに印加するパルスの極性を変化させることにより、マイナスイオンとプラスイオンをシーケンシャルに発生させても良い。また、第１の放電電極１３４ａまたは第２の放電電極１３４ｂをそれぞれ複数設けて、プラスイオンとマイナスイオンを同時に発生させるようにしても良い。
【００５３】
また、上記の実施形態に係るヘアドライヤー１００は、美容成分保持部材として交換式の第１及び第２のカートリッジを採用したが、カートリッジ式ではなく、例えば美容成分を外部から注入できるような美容成分保持部材を採用しても良い。この場合の美容成分保持部材は、本体ユニット１１０に固定されていても良い。
【００５４】
また、上記の実施形態では、第１のカートリッジ１５０ａ及び第２のカートリッジ１５０ｂについて、別個に構成されていた例を説明したが、第１のカートリッジ１５０ａ及び第２のカートリッジ１５０ｂは、一体で構成されていてもよい。この場合は、ユーザは、第１の美容成分と第２の美容成分の組み合わせを変えた種々のカートリッジを選択することで、ユーザが希望する美容成分を放出させることができる。また、第１のカートリッジ１５０ａ及び第２のカートリッジ１５０ｂを一体で構成することによって、着脱の手間が軽減する等の利点が生じる。
【００５５】
また、上記の実施形態では、美容ユニット１５０が第１のカートリッジ１５０ａ及び第２のカートリッジ１５０ｂのみからなる構成について説明したが、３個以上のカートリッジからなる構成であってもよい。カートリッジの個数を増やすことで、放出される美容成分の種類や配合をより細かく選択することができる。
【符号の説明】
【００５６】
１００  ヘアドライヤー、１１０  本体ユニット、１１１  吸入口、１１２  吹出口、１１３  第１吹出口、１１４  第２吹出口、１１５  モードスイッチ、１１６  ハウジング、１１７  収容蓋、１１８  装着部、１１９  内壁、１２１  ヒータ、１２２  モータ、１２３  ファン、１３０  霧化装置、１３１  ペルチェ素子、１３２  冷却板、１３３  放熱フィン、１３４  放電電極、１５０、２５０、３５０  美容ユニット、１５０ａ、２５０ａ、３５０ａ  第１のカートリッジ、１５０ｂ、２５０ｂ、３５０ｂ  第２のカートリッジ、１５１  ケース部材、１５１ａ  第１のケース部材、１５１ｂ  第２のケース部材、１５２  成分保持部材、１５３、２５３ａ、２５３ｂ  通気孔、１８０  グリップユニット、１８１  オンオフスイッチ、１９０  制御部、１９１  ヒータ回路、１９２  モータ回路、１９３  ペルチェ回路、１９４  電極回路、３５１ａ、３５１ｂ  本体部、  ３５３ａ、３５３ｂ  貫通孔
【図１】
2019111158.tif 000003
【図２】
2019111158.tif 000004
【図３】
2019111158.tif 000005
【図４】
2019111158.tif 000006
【図５】
2019111158.tif 000007
【図６】
2019111158.tif 000008
【図７】
2019111158.tif 000009
【図８】
2019111158.tif 000010